(57)【特許請求の範囲】
【請求項１】
枕またはクッションを封入して、使用者が頭部または他の身体部を載せる不透過性当接面を形成するための空気および湿気不透過性材料による包被、枕またはクッションに対する空気の移動を可能にするための前記包被内の通気手段、前記通気手段は前記当接面から空気を追い出すために設けられている、枕またはクッションの挿入および取外しを可能にするための前記包被内に形成されたアクセス手段、および実質的に前記当接面に延在しかつ対面層と前記包被間での空気の流動、およびある程度の相対的運動を可能にするために離隔位置で前記包被へ固定された空気透過性材料による対面層から成る枕またはクッションの使い捨てカバー。
【請求項２】
前記アクセス手段は前記当接面と反対の前記包被側に形成された開口部を被覆して前記包被に重合するフラップである、請求項１のカバー。
【請求項３】
前記フラップはそのフラップを前記包被へ着脱自在に固定するための結合手段を含む、請求項２のカバー。
【請求項４】
前記フラップは空気および湿気不透過性シールを選択的に形成するための手段を含む、請求項３のカバー。
【請求項５】
前記通気手段は前記当接面と反対の前記包被側に形成された一連の孔である、請求項１から４のいずれか１のカバー。
【請求項６】
前記一連の孔は前記当接面と反対側の中心領域に形成されている、請求項５のカバー。
【請求項７】
前記対面層はその周辺を固定することにより前記カバーへ固定されている、請求項１から６のいずれか１のカバー。
【請求項８】
前記対面層は少なくとも２縁部に沿って延在する接着細片により前記カバーへ着脱自在に固定されている、請求項１から６のいずれか１のカバー。
【請求項９】
前記対面層は枕のまわりに延びる紐によって前記カバーへ着脱自在に固定される、請求項１から６のいずれか１のカバー。
【請求項１０】
弾性層が前記対面層および前記包被間に設置されている、請求項１から９のいずれか１のカバー。
【請求項１１】
前記弾性層は前記包被面へ固定されている、請求項１０のカバー。
【請求項１２】
前記弾性層は前記対面層へ固定されている、請求項１０のカバー。
【発明の詳細な説明】
技術分野
本発明は枕およびクッションに関する。
背景技術
枕およびクッションは、概ね、封止包被内に所定形態の充填材を入れることにより形成される。充填材は弾性のないコットンウエスからフォームラバーに至る種々の形態およびその他の広範囲の材料形態を採る。殆どの場合、包被は布または同様材料から形成され、かつ屡、枕ケースまたはクッションカバー等のカバーがクッションまたは枕を覆うために使用される。これらのカバーは、また、通常は布で形成され、かつ一般的に装飾的であること、および封入された枕またはクッションの洗濯を必要とすることなく洗濯を可能にすることの２つの役割をする。
枕およびクッションが人の頭部の支持体として使用される場合、顔面が枕およびクッションの外面と非常に密接に接触する。その結果、使用者は枕の周りの空気を吸う。枕またはクッションの外カバー、および枕またはクッションそれ自体の両者は先使用者の唾液、発汗等の身体流体により汚染される危険がある。これは、不快な臭気を後続使用者が吸うことに繋がり、かつある場合には、細菌またはウイルスの吸入または接触の危険に繋がる。枕ケースまたはクッションカバーの交換の実施はある程度までこの問題を解消するが、枕またはクッションそれ自体の汚染の問題を適切に解決しない。
発明の開示
本発明の課題は、上述の欠点を解消または少なくとも改善する枕またはクッションカバーを提供することにある。
そこで、１形態において、本発明は、枕またはクッションを封入して、使用者が頭部または他の身体部を載せる不透過性当接面を形成するための空気および湿気不透過性材料による包被、枕またはクッションに対する空気の移動を可能にするための前記包被内の通気手段、前記通気手段は前記当接面から空気を追い出すために設けられている、枕またはクッションの挿入および取外しを可能にするための前記包被に形成されたアクセス手段、および実質的に前記当接面に延在しかつ対面層と前記包被間での空気流の流動およびある程度の相対的運動を可能にするために離隔位置で前記包被へ固定された空気透過性材料による対面層から成る枕またはクッションの使い捨てカバーで構成される。
好適には、前記アクセス手段は前記当接面と反対の前記包被側に形成された開口部を被覆して前記包被に重合するフラップの形態をとる。好適形態において、結合手段が前記フラップを前記包被へ着脱自在に固定するために含まれてよい。前記結合手段はベルクロ（VELCRO商標名）下で販売されている種類のフックとループ等の適宜利用可能な結合形態をとってよい。
他の好適形態において、前記フラップは空気および湿気不透過性シールを選択的に形成するための手段を含む。これは、例えば、着脱自在のバッグに使用されるタイプのマジックシール（商標、MAGIC SEAL）名で知られているシールと係止するプレス形態をとる。
前記通気手段は、好適には、前記当接面と反対の前記包被側に形成された一連の孔の形態をとる。好適形態において、前記一連の孔は前記当接面からの物理的除去を可能にするために前記当接面と反対側の中心領域に形成される。
前記対面層は、好適には、その周辺を固定することにより前記枕へ固定される。他の形態において、前記対面層は例えば接着により離隔位置で前記包被の表面へ結合されている。
上記説明から明らかなように、本発明は便利て使い捨てカバーを提供し、このカバーは使用者間における枕の汚染による危険を避けるために交換できる。本発明によるカバーは枕からの通常の空気の出入りに抵触せず、それにより枕の弾性に影響を与えない。更に、前記当接面上に設けられる前記対面層は使用者に快適面を提供し、かつ例えば使用者と接触する層が不透過性となる場合に遭遇する不快を解消するために空気の流動を可能にする。本発明による使い捨てカバーは、このように、使用者ごとに清潔な面を提供しかつ所望により滅菌でき、または香料の含浸等の他の処理をすることができる。香料の範囲は使用者の要求に従って使用できる。適当な香料は使用者の快感を増進する。
使用者の快適さを増すために前記対面層と前記不透過性層間に弾性層を組み合わせることができる。好適には、この弾性層はフォームラバー等により形成されかつ不透過性層へ積層できる。
【図面の簡単な説明】
以下に、本発明の１実施形態を添付図面を参照して説明する。
図１は枕に適合した本発明による枕またはクッションの使い捨てカバーの断面図である。
図２は図１のカバーの上面を示す斜視図である。
図３は図１のカバーの下面を示す斜視図である。
図４は本発明のカバーの改良形態の図１と同様の断面図である。
図５は本発明の枕またはクッションカバーの他の形態の一部を示す斜視図である。
図６は図５の一部および他の形態のカバーの残部を示す斜視図である。
図７は本発明の枕またはクッションカバーの他の形態の一部の斜視図である。
本発明を実施するための最良形態
図１から３を参照して
本発明の枕またはクッションの使い捨てカバーは枕３を封入する空気および湿気不透過性材料により形成される。この包被２はポリエチレン等の適宜の柔軟な湿気および空気不透過性材料により形成される。布等の対面層４はカバーの上または当接面５を提供する。対面層４はその包被の側シーム６および端シーム７に沿って、即ち、換言すれば、対面層４の周辺に沿ってその包被へ取付けられてよい。これは、包被と対面層４間への空気の流れを可能にすると同時に包被層２と対面層４間のある程度の相対的移動を可能にする。この装置は空気循環を可能にして過度の発汗および運動を抑制することにより使用者の快感を高めて枕の感触を改善する。しかし、各層と枕間には充分な摩擦がありカバーの滑り外れる感じはない。
当接面５と反対の側８はフラップ１０により被覆された開口部９、を有する。この開口部はカバーからの枕の挿入および取外しを可能にする。フラップ９の重なり部は従来枕ケースに形成される開口部の性質と同様であり、それにより重なり部の両側は固定され、それにより開口部は通常は閉鎖しているが、操作により枕の挿入および取外しを可能にする。
一連の孔１１が通気孔を形成するために側８に形成されており、通気孔は包被に対する空気の移動を容易にする。これは使用時の枕の出入りに時に空気の通常移動を可能にするが、当接面から空気を追い出す。
図４はカバーの改良形態を示し、このカバーは上述の第１形態と同一であるが、対面層４と包被２との間に弾性材料層１２を含む点が異なる。この層は、好ましくは、包被２へ結合され、その絶縁層を強化し、かつ使用者の快感を改善するために設けられる。
図５および６は本発明のカバーの他の形態を示す。上述の形態に対応する特徴部を示すために同様参照番号が使用される。図５および６の形態において、弾性層１２は対面層４へ固定されて複合要素１７を形成する。
これは弾性層１２と対面層４とを例えば周辺に沿って取付けるか、または他の適宜方法によって形成される。弾性層１２の下側は両縁部に沿った接着材料１３による２つの細片を有する。接着材料に対応する線が包被２上に形成されている。これは弾性層１２および対面層４により形成され複合要素１７の包被１２への着脱自在の固定を可能にする。複合要素１７は、このように、包被１２から取り外されて新鮮な複合要素と交換できる。これは包被２の複数回の再使用を可能にする。
図７は図５および６の形態に若干類似のカバーの他の形態の一部を示す。同様に、同一参照番号が対応する特徴を示すために使用されている。先の形態について、複合要素１７は弾性層１２を対面層４へそれぞれの周辺でで固定することにより形成される。４本の紐またはテープ１５が接着ステッカ１６により弾性層１２の下面へ固定される。使用時に、これらのテープは、接着細片を採用しない図６の図示例と同様に包被２のまわりを通る。これらの紐は、複合要素１７を包被２に対して保持するために、隣接対の両端部を結合することにより固定される。これは包被２の交換をすることなく複合要素１７の交換を可能にする。従って、包被２は損傷または汚損するまで数回にわたって再使用できる。
使用時に、本発明による枕またはクッションの使い捨てカバーは枕ケースと同様に使用され、かつ汚れた場合または枕もしくはクッションの使用者が代わるときに交換される。
上記説明は本発明の１実施形態を示すものであって本発明の範囲から逸脱しない範囲での改変が可能である。
【図１】
0003842295.tif 000002
【図２】
0003842295.tif 000003
【図３】
0003842295.tif 000004
【図４】
0003842295.tif 000005
【図５】
0003842295.tif 000006
【図６】
0003842295.tif 000007
【図７】
0003842295.tif 000008